(57)【要約】【課題】三電極反射型プラズマディスプレイパネルにおいて、発光効率の向上と、アドレス放電開始電圧の上昇の抑制を達成する。【解決手段】三電極反射型プラズマディスプレイパネルにおいて、行電極Ｙの透明電極Ｙａとの間でアドレス放電を行う列電極Ｄが、透明電極Ｙａに対して、前面ガラス基板１と背面ガラス基板５間の間隔よりも短い距離位置に配置され、放電空間に封入される放電ガスが、キセノンガスを１０パーセント以上含む混合希ガスである。【選択図】    図８
2004311273.tif 000002
【特許請求の範囲】
【請求項１】
一対の基板が放電空間を挟んで互いに対向され、この一対の基板の一方の基板側に行方向に延び列方向に並設された複数の行電極対とこの行電極対を被覆する誘電体層が設けられ、他方の基板側に蛍光体層が設けられ、この一対の基板の間の放電空間に行電極対を構成する行電極の互いに対向する部分毎に単位発光領域が形成され、この単位発光領域を区画する隔壁が一対の基板の間に設けられているプラズマディスプレイパネルにおいて、
列方向に延び行方向に並設されて前記行電極対を構成する一方の行電極との間でそれぞれ放電を行う複数の列電極が、一方の行電極に対して、一対の基板の間の間隔よりも短い距離位置に配置され、
前記放電空間に封入される放電ガスが、キセノンガスを１０パーセント以上含む混合希ガスである、
ことを特徴とするプラズマディスプレイパネル。
【請求項２】
前記一方の基板が表示面側となる前面基板であり、列電極が誘電体層内に行電極対とともに配置されている請求項１に記載のプラズマディスプレイパネル。
【請求項３】
前記列電極が、一方の基板側の厚さ方向において行電極が形成されている平面とは異なる平面内に形成されている請求項２に記載のプラズマディスプレイパネル。
【請求項４】
前記行電極対が第１誘電体層によって被覆され、列電極が第１誘電体層の内面側に形成された第２誘電体層によって被覆されている請求項３に記載のプラズマディスプレイパネル。
【請求項５】
前記列電極が、列方向に延びる列電極本体部と、この列電極本体部から行電極対の一方の行電極の側の他方の行電極側よりも近接する位置に向かって延びる列電極放電部とを備えている請求項２に記載のプラズマディスプレイパネル。
【請求項６】
前記隔壁が、列方向に延びて単位発光領域を行方向に区画する縦壁部を有し、
前記列電極が、列方向に延びる列電極本体部と、この列電極本体部から行電極対の一方の行電極の側の他方の行電極側よりも近接する位置に向かって延びる列電極放電部を有し、
この列電極の列電極本体部が、隔壁の縦壁部に対向する位置に配置されている請求項２に記載のプラズマディスプレイパネル。
【請求項７】
前記隔壁が列方向に延びて単位発光領域を行方向に区画する縦壁部を有し、この縦壁部の一方の基板側に近接する部分に列電極が配置されている請求項１に記載のプラズマディスプレイパネル。
【請求項８】
前記列電極が、隔壁の縦壁部の一方の基板に対向する頂部に形成されている請求項７に記載のプラズマディスプレイパネル。
【請求項９】
前記列電極が、隔壁の縦壁部の頂部の放電を行う一方の行電極に対向する側の角部に形成されている請求項７に記載のプラズマディスプレイパネル。
【請求項１０】
前記隔壁が列電極とともに誘電体層によって被覆されている請求項７に記載のプラズマディスプレイパネル。
【請求項１１】
前記行電極対を構成する各々の行電極が、行方向に延びる行電極本体部と、この行電極本体部から単位発光領域毎に対をなす他の行電極の方向に張り出して放電ギャップを介して互いに対向する行電極突出部とを備えている請求項１に記載のプラズマディスプレイパネル。
【発明の詳細な説明】
【０００１】
【発明の属する技術分野】
この発明は、三電極反射型プラズマディスプレイパネルのパネル構造に関する。
【０００２】
【従来の技術】
近年、大型で薄型のカラー画面表示装置として面放電方式交流型プラズマディスプレイパネル（以下、ＰＤＰという）が注目を集めており、家庭への普及も拡大して来ている。
【０００３】
このような面放電方式交流型ＰＤＰとして、三電極構造の反射型ＰＤＰが知られている（例えば、特許文献１参照）。
【０００４】
この三電極反射型ＰＤＰは、前面ガラス基板と背面ガラス基板が、放電ガスが封入された放電空間を介して対向するように配置され、前面ガラス基板の内面側に、対になった行電極（放電維持電極）が行方向に延びるように互いに平行に配置されてそれぞれ表示ラインを形成する複数の行電極対と、この行電極対を被覆する誘電体層が設けられ、背面ガラス基板の内面側に列方向に延びる複数の列電極（アドレス電極）が設けられて、この列電極と行電極対がそれぞれ交差する位置の放電空間にそれぞれ放電セル（単位発光領域）が形成され、各放電セル毎に赤，緑，青に色分けされた蛍光体層が形成されているものである。
【０００５】
そして、この三電極反射型ＰＤＰは、先ず、行電極対の一方の行電極と列電極との間で選択的にアドレス放電を発生させて、行電極対を被覆している誘電体層に壁電荷を形成したり、または、形成されている壁電荷を消去することによって、パネル面に、入力される映像信号に対応して、誘電体層に壁電荷が形成された放電セル（発光セル）と壁電荷が形成されていない放電セル（非発光セル）とを分布させ、この後、発光セルにおいて各行電極対の行電極間で維持放電を発生させて、この維持放電によって放電ガス中のキセノンガスから放射される真空紫外線により、発光セルのそれぞれ赤，緑，青に色分けされた蛍光体層を励起して発光させることによって、マトリクス表示による画像の形成を行うようになっている。
【０００６】
【特許文献１】
特開平１０−３１１４５号公報
【０００７】
【発明が解決しようとする課題】
このような三電極反射型ＰＤＰに対しては、高輝度の画面を形成するために、各放電セル内で発生される放電に対して、高い発光効率が得られるようにすることが要求される。
【０００８】
この放電セルにおける発光効率を高めるためには、放電セル内に充填されている放電ガス中に含まれるキセノンガスの分圧を高めることが考えられている。
【０００９】
しかしながら、この放電ガス中のキセノンガスの分圧を高めると、前述したような列電極と行電極との間で発生されるアドレス放電の放電開始電圧が上昇してしまうという問題が生じる。
【００１０】
本発明は、上記のような三電極反射型ＰＤＰにおける問題を解決することを、その解決課題の一つとしているものである。
【００１１】
【課題を解決するための手段】
上記目的を達成するために、この発明（請求項１に記載の発明）によるプラズマディスプレイパネルは、一対の基板が放電空間を挟んで互いに対向され、この一対の基板の一方の基板側に行方向に延び列方向に並設された複数の行電極対とこの行電極対を被覆する誘電体層が設けられ、他方の基板側に蛍光体層が設けられ、この一対の基板の間の放電空間に行電極対を構成する行電極の互いに対向する部分毎に単位発光領域が形成され、この単位発光領域を区画する隔壁が一対の基板の間に設けられているプラズマディスプレイパネルにおいて、列方向に延び行方向に並設されて前記行電極対を構成する一方の行電極との間でそれぞれ放電を行う複数の列電極が、一方の行電極に対して、一対の基板の間の間隔よりも短い距離位置に配置され、前記放電空間に封入される放電ガスが、キセノンガスを１０パーセント以上含む混合希ガスであることを特徴としている。
【００１２】
【発明の実施の形態】
以下、この発明の最も好適と思われる実施の形態について、図面を参照しながら詳細に説明を行う。
【００１３】
図１ないし４は、この発明によるプラズマディスプレイパネル（以下、ＰＤＰという）の実施形態における第１の例を示すものであって、図１はこの例におけるＰＤＰを模式的に示す正面図であり、図２は図１のＶ１−Ｖ１線における断面図，図３は図１のＶ２−Ｖ２線における断面図，図４は図１のＷ１−Ｗ１線における断面図である。
【００１４】
この図１ないし４において、表示面である前面ガラス基板１の背面に、複数の行電極対（Ｘ，Ｙ）が、前面ガラス基板１の行方向（図１の左右方向）に延びるように平行に配列されている。
【００１５】
行電極Ｘは、Ｔ字形状に形成されたＩＴＯ等の透明導電膜からなる透明電極Ｘａと、前面ガラス基板１の行方向に延びて透明電極Ｘａの狭小の基端部に接続された黒色または暗色の金属膜からなるバス電極Ｘｂによって構成されている。
【００１６】
行電極Ｙも同様に、Ｔ字形状に形成されたＩＴＯ等の透明導電膜からなる透明電極Ｙａと、前面ガラス基板１の行方向に延びて透明電極Ｙａの狭小の基端部に接続された黒色または暗色の金属膜からなるバス電極Ｙｂによって構成されている。
【００１７】
この行電極ＸとＹは、前面ガラス基板１の列方向（図１の上下方向）に交互に配列されており、バス電極ＸｂとＹｂに沿って並列されたそれぞれの透明電極ＸａとＹａが互いに対となる相手の行電極側に延びて、透明電極Ｘａの幅広部Ｘａ１と透明電極Ｙａの幅広部Ｙａ１の頂辺が、それぞれ所要の間隔の放電ギャップｇを介して互いに対向されている。
【００１８】
この各行電極対（Ｘ，Ｙ）によって、パネルの一表示ラインＬが構成される。
【００１９】
前面ガラス基板１の背面には、さらに、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色または暗色の光吸収層（遮光層）２が形成されている。
【００２０】
そして、この前面ガラス基板１の背面側に第１誘電体層３が形成されて、行電極対（Ｘ，Ｙ）および光吸収層２が被覆されている。
【００２１】
この第１誘電体層３の背面側には、列電極Ｄを構成する帯状の列電極本体部Ｄａが、行電極Ｘ，Ｙのバス電極Ｘｂ，Ｙｂに沿って行方向に等間隔に並ぶ透明電極Ｘａ，Ｙａのそれぞれの中間位置に対向する位置において行電極対（Ｘ，Ｙ）と直交する方向（列方向）に延びるように、互いに所定の間隔を開けて平行に配列されている。
【００２２】
この第１誘電体層３の背面側には、さらに、列電極Ｄを構成する帯状の列電極放電部Ｄｂが、その先端部が、各列電極本体部Ｄａの側部から、前面ガラス基板１側から見て、それぞれ行電極Ｙの透明電極Ｙａの幅広部Ｙａ１の後方位置に向かって行方向に延びるように、一体的に形成されている。
【００２３】
そして、第１誘電体層３の背面側に第２誘電体層４が形成されて、この列電極Ｄの列電極本体部Ｄａと列電極放電部Ｄｂが被覆されている。
【００２４】
この第２誘電体層４の背面側には、互いに隣接する行電極対（Ｘ，Ｙ）の背中合わせに位置するバス電極ＸｂとＹｂおよびその間に位置する光吸収層２に対向する位置に、第２誘電体層４の背面側に突出する嵩上げ誘電体層４Ａが、バス電極Ｘｂ，Ｙｂに沿って行方向に延びるように形成されている。
【００２５】
そして、この第２誘電体層４と嵩上げ誘電体層４Ａの背面側には、ＭｇＯからなる図示しない保護層が形成されている。
【００２６】
一方、前面ガラス基板１と放電空間を介して対向する背面ガラス基板５の表示側の面上には、前面ガラス基板１側の列電極本体部Ｄａと対向する位置において、それぞれ列方向に延びるように形成された帯状の縦壁６Ａと、互いに隣接する行電極対（Ｘ，Ｙ）の背中合わせに位置するバス電極ＸｂとＹｂおよびその間に位置する光吸収層２に対向する位置において、それぞれ行方向に延びるように形成された帯状の横壁６Ｂとによって構成される格子状の隔壁６が形成されている。
【００２７】
そして、この隔壁６によって、前面ガラス基板１と背面ガラス基板５の間の放電空間が、各行電極対（Ｘ，Ｙ）において対となった透明電極ＸａとＹａに対向する部分毎に区画されて、それぞれ方形の放電セルＣが形成されている。
【００２８】
この隔壁６の縦壁６Ａの表示側の面は嵩上げ誘電体層４Ａを被覆する保護層に当接されておらず、その間に隙間ｒが形成されているが（図４参照）、横壁６Ｂの表示側の面が、保護層の嵩上げ誘電体層４Ａを被覆している部分に当接されていて、列方向において隣接する放電セルＣとの間がそれぞれ閉じられている（図２および３参照）。
【００２９】
放電セルＣに面する隔壁６の縦壁６Ａおよび横壁６Ｂの側面と背面ガラス基板５の表面には、これらの五つの面を全て覆うように蛍光体層７が形成されており、この蛍光体層７の色は、各放電セルＣ毎に赤，緑，青の三原色が行方向に順に並ぶように配列されている。
【００３０】
そして、前面ガラス基板１と背面ガラス基板５の間の放電空間内には、キセノンＸｅを１０パーセント以上含む混合希ガスからなる放電ガスが封入されている。
【００３１】
上記のＰＤＰにおける画像形成は、以下のようにして行われる。
すなわち、一斉リセット期間の後のアドレス期間において、行電極Ｙに走査パルスが印加されるとともに、列電極Ｄの列電極本体部Ｄａに映像信号の表示データに対応した表示データパルスが印加されて、選択的に、この列電極Ｄの列電極放電部Ｄｂと走査パルスが印加された行電極Ｙの透明電極Ｙａとの間でアドレス放電が発生される。
【００３２】
これによって、パネル面に、第１誘電体層３および第２誘電体層４に壁電荷が形成された放電セル（発光セル）Ｃと、壁電荷が形成されていない放電セル（非発光セル）Ｃとが分布される。
【００３３】
この後、次の維持発光期間において、行電極ＸとＹに放電維持パルスが印加され、第１誘電体層３および第２誘電体層４に壁電荷が形成されている発光セル内において、行電極ＸとＹの放電ギャップｇを介して互いに対向する透明電極ＸａとＹａの間で維持放電が発生され、放電空間内に封入されている放電ガス中のキセノンガスから真空紫外線が放射されることによって、それぞれ赤，緑，青に色分けされている蛍光体層７がこの真空紫外線によって励起されて発光することにより、マトリクス表示による画像の形成が行われる。
【００３４】
このとき、放電空間内に封入されている放電ガス中に、キセノンガスが１０パーセント以上含まれていることによって、このキセノンガスから放射される真空紫外線が、従来の三電極反射型ＰＤＰと比べて増加して、この真空紫外線によって励起されることによる蛍光体層７からの発光量が増加する。
【００３５】
また、上記ＰＤＰは、列電極Ｄが行電極対（Ｘ，Ｙ）と同じ前面ガラス基板１側に形成されていて、アドレス放電が行われる行電極Ｙの透明電極Ｙａと列電極Ｄの列電極放電部Ｄｂとの間の距離が近接しているために、キセノンガスを１０パーセント以上含む放電ガスが使用される場合であっても、アドレス放電の放電開始電圧を、従来の三電極反射型ＰＤＰに比べて低く抑えることが出来る。
【００３６】
なお、上記の例においては、前面ガラス基板１の背面に行電極対（Ｘ，Ｙ）を形成して第１誘電体層３により被覆するとともに、この第１誘電体層３の背面に列電極Ｄを形成して第２誘電体層４により被覆する構成が示されているが、行電極対（Ｘ，Ｙ）と列電極Ｄの配置を逆にして、前面ガラス基板１の背面に列電極Ｄを形成して第１誘電体層３により被覆するとともに、この第１誘電体層３の背面に行電極対（Ｘ，Ｙ）を形成して第２誘電体層４により被覆するようにしても良い。
【００３７】
図５ないし８は、この発明によるＰＤＰの実施形態における第２の例を示すものであって、図５はこの例におけるＰＤＰを模式的に示す正面図であり、図６は図５のＶ３−Ｖ３線における断面図，図７は図５のＶ４−Ｖ４線における断面図，図８は図５のＷ２−Ｗ２線における断面図である。
【００３８】
この図５ないし８において、表示面である前面ガラス基板１０の背面に、複数の行電極対（Ｘ１，Ｙ１）が、前面ガラス基板１０の行方向（図５の左右方向）に延びるように平行に配列されている。
【００３９】
行電極Ｘ１は、Ｔ字形状に形成されたＩＴＯ等の透明導電膜からなる透明電極Ｘ１ａと、前面ガラス基板１０の行方向に延びて透明電極Ｘ１ａの狭小の基端部に接続された黒色または暗色の金属膜からなるバス電極Ｘ１ｂによって構成されている。
【００４０】
行電極Ｙ１も同様に、Ｔ字形状に形成されたＩＴＯ等の透明導電膜からなる透明電極Ｙ１ａと、前面ガラス基板１０の行方向に延びて透明電極Ｙ１ａの狭小の基端部に接続された黒色または暗色の金属膜からなるバス電極Ｙ１ｂによって構成されている。
【００４１】
この行電極Ｘ１とＹ１は、前面ガラス基板１０の列方向（図５の上下方向）に交互に配列されており、バス電極Ｘ１ｂとＹ１ｂに沿って並列されたそれぞれの透明電極Ｘ１ａとＹ１ａが、互いに対となる相手の行電極側に延びて、透明電極Ｘ１ａの幅広部と透明電極Ｙａの幅広部の頂辺が、それぞれ所要の間隔の放電ギャップｇ１を介して互いに対向されている。
【００４２】
この各行電極対（Ｘ１，Ｙ１）によって、パネルの一表示ラインＬ１が構成される。
【００４３】
前面ガラス基板１０の背面には、さらに、列方向において隣接する行電極対（Ｘ１，Ｙ１）のそれぞれの互いに背中合わせになったバス電極Ｘ１ｂとＹ１ｂの間に、このバス電極Ｘ１ｂ，Ｙ１ｂに沿って行方向に延びる黒色または暗色の光吸収層（遮光層）１１が形成されている。
【００４４】
そして、この前面ガラス基板１０の背面側に誘電体層１２が形成されて、行電極対（Ｘ１，Ｙ１）および光吸収層１１が被覆されている。
【００４５】
この誘電体層１２の背面側には、互いに隣接する行電極対（Ｘ１，Ｙ１）の背中合わせに位置するバス電極Ｘ１ｂとＹ１ｂおよびその間に位置する光吸収層１１に対向する位置に、誘電体層１２の背面側に突出する嵩上げ誘電体層１２Ａが、バス電極Ｘ１ｂ，Ｙ１ｂに沿って行方向に延びるように形成されている。
【００４６】
そして、この誘電体層１２と嵩上げ誘電体層１２Ａの背面側には、ＭｇＯからなる図示しない保護層が形成されている。
【００４７】
一方、前面ガラス基板１０に放電空間を介して背面ガラス基板１３が対向され、この背面ガラス基板１３の表示側の面上に、行電極Ｘ１，Ｙ１のバス電極Ｘ１ｂ，Ｙ１ｂに沿って行方向に等間隔に並ぶ透明電極Ｘ１ａ，Ｙ１ａのそれぞれの中間位置に対向する位置において、それぞれ行電極対（Ｘ１，Ｙ１）と直交する方向（列方向）に延びる帯状の縦壁１４Ａと、互いに隣接する行電極対（Ｘ１，Ｙ１）の背中合わせに位置するバス電極Ｘ１ｂとＹ１ｂおよびその間に位置する光吸収層１１に対向する位置において、それぞれ行方向に延びるように形成された帯状の横壁１４Ｂとによって構成される格子状の隔壁１４が形成されている。
【００４８】
そして、この隔壁１４によって、前面ガラス基板１０と背面ガラス基板１３の間の放電空間が、各行電極対（Ｘ１，Ｙ１）において対となった透明電極Ｘ１ａとＹ１ａに対向する部分毎に区画されて、それぞれ方形の放電セルＣ１が形成されている。
【００４９】
この隔壁１４の縦壁１４Ａのそれぞれの頂部の一方の角部（この例においては、図８の右上角部）に、この角部の頂面と側面の一部を覆うように、列方向に延びる列電極Ｄ１が形成されている。
【００５０】
そして、この隔壁１４および列電極Ｄ１，背面ガラス基板１３の表面を全て被覆するように、列電極保護誘電体層１５が形成されている。
【００５１】
この列電極保護誘電体層１５の隔壁１４の縦壁１４Ａの頂面（表示側の面）を被覆して部分は、嵩上げ誘電体層１４Ａを被覆する保護層に当接されておらず、その間に隙間ｒ１が形成されているが（図７および８参照）、列電極保護誘電体層１５の横壁１４Ｂの頂面（表示側の面）を被覆している部分が、保護層の嵩上げ誘電体層１２Ａを被覆している部分に当接されていて、列方向において隣接する放電セルＣ１との間がそれぞれ閉じられている（図６参照）。
【００５２】
放電セルＣ１に面する隔壁６の縦壁６Ａおよび横壁６Ｂの側面と背面ガラス基板５の表面の部分を被覆する列電極保護誘電体層１５上に、この部分を覆うように蛍光体層１６が形成されており、この蛍光体層１６の色は、各放電セルＣ１毎に赤，緑，青の三原色が行方向に順に並ぶように配列されている。
【００５３】
そして、前面ガラス基板１０と背面ガラス基板１３の間の放電空間内には、キセノンＸｅを１０パーセント以上含む混合希ガスからなる放電ガスが封入されている。
【００５４】
上記のＰＤＰにおける画像形成は、以下のようにして行われる。
すなわち、一斉リセット期間の後のアドレス期間において、行電極Ｙ１に走査パルスが印加されるとともに、列電極Ｄ１に映像信号の表示データに対応した表示データパルスが印加されて、選択的に、この列電極Ｄ１と走査パルスが印加された行電極Ｙ１の透明電極Ｙ１ａとの間でアドレス放電ｓが発生される（図８参照）。
【００５５】
これによって、パネル面に、誘電体層１２に壁電荷が形成された放電セル（発光セル）Ｃ１と、壁電荷が形成されていない放電セル（非発光セル）Ｃ１とが分布される。
【００５６】
この後、次の維持発光期間において、行電極Ｘ１とＹ１に放電維持パルスが印加され、誘電体層１２に壁電荷が形成されている発光セル放電セルＣ１内において、行電極Ｘ１とＹ１の放電ギャップｇ１を介して互いに対向する透明電極Ｘ１ａとＹ１ａの間で維持放電が発生され、放電空間内に封入されている放電ガス中のキセノンガスから真空紫外線が放射されることによって、それぞれ赤，緑，青に色分けされている蛍光体層１６がこの真空紫外線によって励起されて発光することにより、マトリクス表示による画像の形成が行われる。
【００５７】
このとき、放電空間内に封入されている放電ガス中に、キセノンガスが１０パーセント以上含まれていることによって、このキセノンガスから放射される真空紫外線が、従来の三電極反射型ＰＤＰと比べて増加して、この真空紫外線によって励起されることによる蛍光体層１６からの発光量が増加する。
【００５８】
そして、上記例のＰＤＰは、列電極Ｄ１が隔壁１４の縦壁１４Ａの頂部部分に形成されていて、アドレス放電が行われる行電極Ｙ１の透明電極Ｙ１ａとの間の距離が近接しているために、キセノンガスを１０パーセント以上含む放電ガスが使用される場合であっても、アドレス放電の放電開始電圧を、従来の三電極反射型ＰＤＰに比べて低く抑えることが出来る。
【００５９】
なお、上記各例のＰＤＰにおいては、各行電極ＸとＹが、Ｘ−Ｙ，Ｘ−Ｙ…というように列方向に沿って交互に配置される構成になっているが、これに限らず、各行電極対（Ｘ，Ｙ）の行電極ＸとＹが、Ｘ−Ｙ，Ｙ−Ｘ，Ｘ−Ｙ…というように行電極対毎にその位置が入れ替えられて、隣接する表示ライン間において行電極Ｘ同士および行電極Ｙ同士が互いに背中合わせに配置される構成にしても良い。
【００６０】
そして、この場合には、互いに背中合わせに位置する行電極Ｘまたは行電極Ｙのそれぞれのバス電極を、隣接する表示ライン間で共用するようにしても良い。
【００６１】
上記の例のＰＤＰは、一対の基板が放電空間を挟んで互いに対向され、この一対の基板の一方の基板側に行方向に延び列方向に並設された複数の行電極対とこの行電極対を被覆する誘電体層が設けられ、他方の基板側に蛍光体層が設けられ、この一対の基板の間の放電空間に行電極対を構成する行電極の互いに対向する部分毎に単位発光領域が形成され、この単位発光領域を区画する隔壁が一対の基板の間に設けられているプラズマディスプレイパネルにおいて、列方向に延び行方向に並設されて前記行電極対を構成する一方の行電極との間でそれぞれ放電を行う複数の列電極が、一方の行電極に対して、一対の基板の間の間隔よりも短い距離位置に配置され、前記放電空間に封入される放電ガスが、キセノンガスを１０パーセント以上含む混合希ガスであるＰＤＰの実施形態を、その上位概念の実施形態としているものである。
【００６２】
この上位概念の実施形態を構成するＰＤＰは、放電期間の一斉リセット期間の後のアドレス期間において、行電極対を構成する一方の行電極に走査パルスが印加され、列電極に映像信号の表示データに対応した表示データパルスがそれぞれ選択的に印加された際に、走査パルスが印加された一方の行電極とこの一方の行電極に近接する位置に配置された列電極との間でアドレス放電が発生され、これによって、隔壁によって区画された単位発光領域が、誘電体層に壁電荷が形成された単位発光領域と壁電荷が形成されていない単位発光領域とに分類されてパネル面に分布される。
【００６３】
この後、次の維持発光期間において、行電極対の双方の行電極に放電維持パルスが交互に印加されて、壁電荷が形成されている単位発光領域内において、行電極間の放電ギャップを介して維持放電が発生される。
【００６４】
そして、この維持放電によって、放電空間内に封入されている放電ガス中のキセノンガスから真空紫外線が放射され、それぞれ赤，緑，青に色分けされている蛍光体層がこの真空紫外線によって励起されて発光することにより、マトリクス表示による画像の形成が行われる。
【００６５】
このとき、放電空間内に封入されている放電ガス中に、キセノンガスが１０パーセント以上含まれていることによって、このキセノンガスから放射される真空紫外線が、従来の三電極反射型ＰＤＰと比べて増加して、この真空紫外線によって励起されることによる蛍光体層からの発光量が増加し、ＰＤＰの発光効率が向上する。
【００６６】
そして、このＰＤＰは、列電極が、アドレス放電を行う一方の行電極に対して、一対の基板の間の間隔よりも短い距離位置に配置され、その放電距離が従来のＰＤＰの場合に比較して短く設定されているので、放電ガスとしてキセノンガスを１０パーセント以上含む混合希ガスが使用される場合であっても、アドレス放電の放電開始電圧が上昇するのを抑制することが出来る。
【図面の簡単な説明】
【図１】この発明の実施形態における第１の例を模式的に示す正面図である。
【図２】図１のＶ１−Ｖ１線における断面図である。
【図３】図１のＶ２−Ｖ２線における断面図である。
【図４】図１のＷ１−Ｗ１線における断面図である。
【図５】この発明の実施形態における第２の例を模式的に示す正面図である。
【図６】図５のＶ３−Ｖ３線における断面図である。
【図７】図５のＶ４−Ｖ４線における断面図である。
【図８】図５のＷ２−Ｗ２線における断面図である。
【符号の説明】
１，１０                          …前面ガラス基板（一方の基板）
２，１１                    …光吸収層
３                          …第１誘電体層（誘電体層）
４，１２                    …第２誘電体層（誘電体層）
４Ａ，１２Ａ                …嵩上げ誘電体層
５，１３                        …背面ガラス基板（他方の基板）
６，１４                    …隔壁
６Ａ，１４Ａ                …縦壁（縦壁部）
６Ｂ，１４Ｂ                …横壁（隔壁）
７，１６                    …蛍光体層
１５                        …列電極保護誘電体層（誘電体層）
Ｘ，Ｙ，Ｘ１，Ｙ１              …行電極
Ｘａ，Ｙａ，Ｘ１ａ，Ｙ１ａ  …透明電極（行電極突出部）
Ｘｂ，Ｙｂ，Ｘ１ｂ，Ｙ１ｂ  …バス電極（行電極本体部）
Ｄ，Ｄ１                      …列電極
Ｄａ                          …列電極本体部
Ｄｂ                          …列電極放電部
Ｃ，Ｃ１                              …放電セル（単位発光領域）
ｇ，ｇ１                      …放電ギャップ
【図１】
2004311273.tif 000003
【図２】
2004311273.tif 000004
【図３】
2004311273.tif 000005
【図４】
2004311273.tif 000006
【図５】
2004311273.tif 000007
【図６】
2004311273.tif 000008
【図７】
2004311273.tif 000009
【図８】
2004311273.tif 000010